(57)【要約】【課題】  画像（高解像度）全体の印刷イメージとともに、当該画像に付与される属性情報の内容を容易に確認できる表示を行なうようにした技術を提供する。【解決手段】  情報処理装置は、印刷対象となる画像に対して当該画像の属性情報の印刷位置を設定し、当該設定された印刷位置に属性情報を構成する画像を配置した印刷対象となる画像の印刷プレビュー画面を表示器に表示し、表示器に表示された印刷プレビュー画面内の属性情報に対応する領域が選択された場合には、属性情報を拡大表示する。【選択図】  図５
2010082330.tif 000002
【特許請求の範囲】
【請求項１】
表示器に各種画面を表示する情報処理装置であって、
印刷対象となる画像に対して該画像の属性情報の印刷位置を設定する設定手段と、
前記設定手段により設定された印刷位置に前記属性情報を構成する画像を配置した前記印刷対象となる画像の印刷プレビュー画面を前記表示器に表示するプレビュー表示処理手段と、
前記プレビュー表示処理手段により前記表示器に表示された印刷プレビュー画面内の属性情報に対応する領域が選択された場合に、該属性情報を拡大表示する属性情報表示処理手段と
を具備することを特徴とする情報処理装置。
【請求項２】
前記プレビュー表示処理手段により前記表示器に表示された印刷プレビュー画面内の属性情報に対応してマークを表示するマーク表示処理手段
を更に具備し、
前記属性情報表示処理手段は、
前記マーク表示処理手段により表示されたマークが選択された場合に、該マークと対応する属性情報を拡大表示する
ことを特徴とする請求項１記載の情報処理装置。
【請求項３】
前記属性情報は、１又は複数の項目からなり、
前記属性情報表示処理手段は、
前記マーク表示処理手段により表示されたマークに対応する属性情報全てを同時に表示できるサイズの別ウィンドウを用いて前記属性情報を拡大表示する
ことを特徴とする請求項２記載の情報処理装置。
【請求項４】
前記属性情報表示処理手段は、
印刷に用いられる印刷装置の印刷性能と前記表示器の表示性能とに基づいて該印刷装置により印刷されたときの属性情報のサイズに合わせて前記属性情報の拡大表示を行なう
ことを特徴とする請求項１乃至３のいずれか１項に記載の情報処理装置。
【請求項５】
前記属性情報表示処理手段は、
前記印刷プレビュー画面内に印刷対象の画像が複数表示されている場合に、いずれかの画像の属性情報が選択されたときには、該属性情報とともに、それ以外の画像の同じ位置に表示される属性情報を拡大表示する
ことを特徴とする請求項１乃至３いずれか１項に記載の情報処理装置。
【請求項６】
前記印刷対象となる画像は、
前記属性情報を構成する画像よりも高解像度である
ことを特徴とする請求項１乃至５いずれか１項に記載の情報処理装置。
【請求項７】
表示器に各種画面を表示する情報処理装置の表示方法であって、
印刷対象となる画像に対して該画像の属性情報の印刷位置を設定する設定工程と、
前記設定工程で設定された印刷位置に前記属性情報を構成する画像を配置した前記印刷対象となる画像の印刷プレビュー画面を前記表示器に表示するプレビュー表示処理工程と、
前記プレビュー表示処理工程で前記表示器に表示された印刷プレビュー画面内の属性情報に対応する領域が選択された場合に、該属性情報を拡大表示する属性情報表示処理工程と
を含むことを特徴とする表示方法。
【請求項８】
表示器に各種画面を表示する情報処理装置に内蔵されたコンピュータを、
印刷対象となる画像に対して該画像の属性情報の印刷位置を設定する設定手段、
前記設定手段により設定された印刷位置に前記属性情報を構成する画像を配置した前記印刷対象となる画像の印刷プレビュー画面を前記表示器に表示するプレビュー表示処理手段、
前記プレビュー表示処理手段により前記表示器に表示された印刷プレビュー画面内の属性情報に対応する領域が選択された場合に、該属性情報を拡大表示する属性情報表示処理手段
として機能させるためのプログラム。
【発明の詳細な説明】
【技術分野】
【０００１】
本発明は、情報処理装置、その表示方法及びプログラムに関する。
【背景技術】
【０００２】
近年、医用分野においては、各種診断機器がコンピュータに接続されており、これら診断機器を用いて撮像された画像をＣＲＴや液晶ディスプレイなどのモニタに表示し、その表示を参照して診断を行なうモニタ診断が行なわれている。モニタ診断が進む一方で、フイルム出力も依然として行なわれており、画像専用プリンタ（ＤＩＣＯＭプリンタ）からフイルム出力を行なうことも多い。
【特許文献１】特開２００１−２８５６２７号公報
【発明の開示】
【発明が解決しようとする課題】
【０００３】
一般的に、プリント機能を有するシステムには、所望のプリント結果となるか否かをユーザに確認させるため、プリント結果をプレビューする機能が設けられている（特許文献１参照）。例えば、医用分野においては、フイルムに患者ＩＤや検査日時などの属性情報を印字することが多く、医用画像の他、これら属性情報の確認が必要とされている。
【０００４】
ところが、医用画像は一般的に、解像度が大きいため、フイルムイメージ全体をプレビュー表示すると、属性情報が小さく表示されていまい、視認性が著しく損なわれてしまう。このような場合、一般的には、属性情報（文字）を確認するため、プレビュー表示されたイメージを拡大して対処する。しかし、このような対処では、属性情報の確認のために拡大したり、画像を移動させたり、また、拡大を解除したりするといった手順を繰り返し行なう必要があり、操作性が悪く利便性に欠けていた。
【０００５】
そこで、本発明は、上記課題に鑑みてなされたものであり、画像（高解像度）全体の印刷イメージとともに、当該画像に付与される属性情報の内容を容易に確認できる表示を行なうようにした技術を提供することを目的とする。
【課題を解決するための手段】
【０００６】
上記目的を達成するため、本発明の一態様は、表示器に各種画面を表示する情報処理装置であって、印刷対象となる画像に対して該画像の属性情報の印刷位置を設定する設定手段と、前記設定手段により設定された印刷位置に前記属性情報を構成する画像を配置した前記印刷対象となる画像の印刷プレビュー画面を前記表示器に表示するプレビュー表示処理手段と、前記プレビュー表示処理手段により前記表示器に表示された印刷プレビュー画面内の属性情報に対応する領域が操作者による操作に基づいて選択された場合に、該属性情報を拡大表示する属性情報表示処理手段とを具備することを特徴とする。
【０００７】
また、本発明の一態様は、表示器に各種画面を表示する情報処理装置の表示方法であって、印刷対象となる画像に対して該画像の属性情報の印刷位置を設定する設定工程と、前記設定工程で設定された印刷位置に前記属性情報を構成する画像を配置した前記印刷対象となる画像の印刷プレビュー画面を前記表示器に表示するプレビュー表示処理工程と、前記プレビュー表示処理工程で前記表示器に表示された印刷プレビュー画面内の属性情報に対応する領域が操作者による操作に基づいて選択された場合に、該属性情報を拡大表示する属性情報表示処理工程とを含むことを特徴とする。
【０００８】
また、本発明の一態様によるプログラムは、表示器に各種画面を表示する情報処理装置に内蔵されたコンピュータを、印刷対象となる画像に対して該画像の属性情報の印刷位置を設定する設定手段、前記設定手段により設定された印刷位置に前記属性情報を構成する画像を配置した前記印刷対象となる画像の印刷プレビュー画面を前記表示器に表示するプレビュー表示処理手段、前記プレビュー表示処理手段により前記表示器に表示された印刷プレビュー画面内の属性情報に対応する領域が操作者による操作に基づいて選択された場合に、該属性情報を拡大表示する属性情報表示処理手段として機能させる。
【発明の効果】
【０００９】
本発明によれば、画像（高解像度）全体の印刷イメージとともに、当該画像に付与される属性情報の内容を容易に確認できる表示を行なう。これにより、操作性を向上させることができる。
【発明を実施するための最良の形態】
【００１０】
以下、添付図面を参照して本発明の好適な実施形態について詳しく説明する。以下の実施形態は、特許請求の範囲に係る発明を限定するものでなく、また、本実施形態で説明されている特徴の組み合わせの全てが発明の解決手段に必須のものとは限らない。なお、以下の実施形態では、印刷対象となる画像が医療用Ｘ線画像であり、この画像をフィルムに印刷する場合を例に挙げて説明するが、勿論、これ以外の画像や記録媒体を扱うようにしてもよい。
【００１１】
（実施形態１）
図１は、本発明の一実施の形態に係わる情報処理装置１０における機能的な構成の一例を示す図である。
【００１２】
ここで、情報処理装置１０は、情報処理部１０１と、表示部１０９と、入力部１１０と、プリント部１００とを具備して構成される。
【００１３】
情報処理部１０１は、一般的なコンピュータ構成を備える。具体的には、ＲＡＭ１０２、ＤＩＳＫ／ＩＦ１０３、ＲＯＭ１０４、ＣＰＵ１０５、ＬＡＮ／ＩＦ１０６、ハードディスクなどの不揮発性記憶装置１０７等から構成される。これら情報処理部１０１における各構成部は、システムバス１０８により通信可能に接続されている。情報処理部１０１は、例えば、データベース等を用いて、画像や画像に付随する属性情報を管理する。なお、上述した通り、本実施形態で扱う画像は、医療用Ｘ線画像であるので、一般的な画像よりも、高い解像度（高解像度）となる。
【００１４】
入力部１１０は、マウス、キーボード等から構成され、操作者よる各種コマンドやデータを情報処理部１０１内部に入力する。表示部１０９は、ＣＲＴ（Cathode Ray Tube）や液晶ディスプレイ等から構成される表示器であり、画像やＧＵＩ（グラフィカルユーザインタフェース）などの各種画面を表示する。なお、表示部１０９は、情報処理装置１０の内部又は外部のいずれに実現されてもかまわない。
【００１５】
プリント部１００は、情報処理部１０１から送られてくる画像に基づいて印刷を行なう。なお、プリント部１００と情報処理装置１０との接続形態は、有線、無線を問わない。また、どのような通信プロトコルを使用してもよく、データのやり取りが行なえればよい。
【００１６】
次に、図２を用いて、図１に示す情報処理部１０１における機能的な構成の一例について説明する。なお、情報処理部１０１における機能的な構成は主に、ＣＰＵ１０５がＲＡＭ１０２をワーク領域として、ＲＯＭ１０４や不揮発性記憶装置１０７に格納されたプログラムを読み出し実行することで実現される。
【００１７】
情報処理部１０１においては、設定画面表示処理部２１１、設定情報設定部２００、設定情報管理部２０１、画像情報管理部２０２、画像情報取得部２０３、設定情報取得部２０４、画像選択部２０５、が機能的な構成として実現される。また更に、プレビュー表示処理部２０６、マーク表示判定部２０７、マーク表示処理部２０８、マーク選択判定部２０９、属性情報表示処理部２１０、が機能的な構成として実現される。
【００１８】
設定画面表示処理部２１１は、画像をフイルム出力する際に患者ＩＤ、検査日時などの属性情報のうち、どの項目を印刷するか等を操作者に選択されるための画面を表示部１０９に表示する。また、この画面では、属性情報の印刷位置やサイズなどの選択も行なわれる。
【００１９】
設定情報設定部２００は、属性情報の設定を行なう。すなわち、設定画面表示処理部２１１により表示された画面を参照した操作者の指示に基づいて属性情報の設定情報を設定する。なお、操作者の指示は、入力部１１０を介して装置内に入力される。
【００２０】
設定情報管理部２０１は、設定情報設定部２００により設定された属性情報の設定情報をデータベース等を用いて管理する。設定情報取得部２０４は、属性情報の設定情報を設定情報管理部２０１から取得する。画像選択部２０５は、印刷対象となる画像を選択する。画像選択部２０５による画像の選択は、入力部１１０を介した操作者からの指示に基づいて行なわれる。
【００２１】
画像情報管理部２０２は、画像及びその画像に付随する患者ＩＤや検査日時などの属性情報を管理する。画像情報取得部２０３は、画像情報管理部２０２から画像や属性情報を取得する。
【００２２】
プレビュー表示処理部２０６は、画像選択部２０５により選択された画像に対して当該画像に関連付けられた属性情報を配置し、その画像を印刷プレビュー画面として表示部１０９に表示する。属性情報の配置は、設定情報設定部２００により設定された設定情報に基づいて行なわれる。なお、印刷プレビュー画面とは、実際の印刷結果をプレビューするための画面である。
【００２３】
マーク表示判定部２０７は、マークを表示するか否かを判定する。マーク表示処理部２０８では、その判定結果に基づいて表示部１０９にマークを表示する。ここで、このマークは、属性情報の有無を示すものであり、属性情報が表示される領域に対応してこのマークが付される。
【００２４】
マーク選択判定部２０９は、表示部１０９に表示されているマークが選択されているか否かを判定する。なお、表示中のマークの選択は、例えば、入力部１１０を介した操作者からのマウス操作により行なわれる。
【００２５】
属性情報表示処理部２１０は、表示部１０９に表示された属性情報を操作者が視認できるように、例えば、拡大表示する。この属性情報の表示は、マーク選択判定部２０９の判定結果に基づいて行なわれる。例えば、マーク選択判定部２０９において、マークが選択されていると判定された場合、当該マークと対応する領域の属性情報を別ウィンドウ等を用いて拡大表示する。
【００２６】
ここで、図１に示す情報処理装置１０における動作の一例について説明する。
【００２７】
まず、属性情報の印刷設定を行なう際の処理について説明する。図３は、属性情報の印刷設定を行なう際に表示される画面の一例である。
【００２８】
５００及び５０３は、属性情報の印刷設定を行なうための画面である。画面５００は、画像内における領域（左上、中央上、右上、左下、中央下、右下）各々において、どの属性情報を印刷するのかを選択するための画面である。５０１には、属性情報のリストが表示される。例えば、左上領域に対応して設けられたリスト表示領域５０１には、印刷対象となる属性情報の項目として、患者ＩＤ、患者名、生年月日、性別、年齢が選択されている。この画像が印刷された場合、その左上領域には、これら属性情報が印刷されることになる。なお、画面５００には、このようなリスト表示領域が各領域（左上、中央上、右上、左下、中央下、右下）に対応して設けられている。
【００２９】
また、５０２は、項目選択ボタンであり、印刷対象となる属性情報の項目を選択する際に押下されるボタンである。このボタンが操作者によりマウス等で押下されると、画面５０３が表示される。
【００３０】
画面５０３では、属性情報の項目が一覧で表示される。ここで、操作者は、項目に対応して設けられたチェックボックスをチェックし、印刷を所望する属性情報を選択する。この選択後、ＯＫボタン５０５が押下されると、画面５０３が閉じられ、画面５０３で選択された項目に応じて画面５００が更新される。
【００３１】
図４は、属性情報の印刷設定を行なう際の処理の流れの一例を示すフローチャートである。
【００３２】
情報処理装置１０は、設定画面表示処理部２１１において、属性情報の印刷設定を行なうための画面を表示する（ステップＳ１０１）。すなわち、表示部１０９には、図３で説明した画面５００が表示される。そして、操作者による操作（例えば、マウス）により属性情報の印刷位置が選択されたとする（項目選択ボタン５０２の押下）。すると、情報処理装置１０は、この入力操作を受け付けるとともに（ステップＳ１０２）、設定画面表示処理部２１１において、印刷対象となる属性情報を選択するための画面を表示する（ステップＳ１０３）。すなわち、表示部１０９には、図３で説明した画面５０３が表示される。
【００３３】
その後、操作者による操作（例えば、マウス）により属性情報が選択されると（ステップＳ１０４）、これを受けた情報処理装置１０は、設定情報設定部２００において、当該指示に基づいて属性情報の設定情報を設定する。なお、上述した通り、この設定情報は、設定情報管理部２０１において管理される（ステップＳ１０５）。
【００３４】
次に、印刷プレビュー画面を表示する際の処理について説明する。図５は、図３の設定に基づいて表示される印刷プレビュー画面の一例を示す図である。
【００３５】
６００は、印刷プレビューを表示する画面であり、実際に印刷が行なわれた場合の印刷結果が表示される。印刷プレビュー画面では、印刷対象となる画像６０１に属性情報が付与されている。なお、属性情報は、事前に設定された属性情報の設定情報に基づいて付与される。
【００３６】
図５に示す印刷プレビュー画面は、２つの画像６０１が選択されたことを示している。破線の矩形領域６０２は、フイルム上の属性情報の表示状態を示している。プレビュー上で表示される属性情報は、実際に印刷されたときの表示状態となるので、極端に文字が小さく、その内容を確認することは難しい。
【００３７】
そこで、本実施形態においては、属性情報の表示項目がある位置にマーク６０３を表示するとともに、そのマークが操作者によりマウス等で選択された場合には、その領域にある属性情報を視認できるように表示する。
【００３８】
ここで、６０３は、マーク表示処理部２０８によって表示されるマークである。マークは、属性情報の表示項目がある位置に表示されている。この場合、図３の設定に基づいて表示される印刷プレビュー画面を示しているので、マークは、各画像の左上、右上、左下、中央下の計４箇所に表示される。
【００３９】
６０４は、マウスカーソルを示しており、操作者のマウス操作に応じて移動、クリック操作などが行なわれる。６０５は、属性情報表示処理部２１０により表示される属性情報である。マウスカーソル６０４がマーク６０３位置にポイントされると、６０５のウィンドウが出現し、属性情報が拡大表示される。すなわち、マウスカーソル６０４がマーク６０３位置にポイントされたことをマーク選択と判定し、属性情報の拡大表示を行なっている。なお、属性情報は、予め設定されたフォントサイズで拡大表示してもよいし、ＯＳのデフォルトのフォントサイズを使用して拡大表示してもよい。フォントサイズは、特に問わないが、操作者が視認可能なサイズで表示する。
【００４０】
図６は、印刷プレビュー画面を表示する際の処理の流れの一例を示すフローチャートである。
【００４１】
この処理は、操作者によるマウス操作により印刷対象となる画像が選択されると開始する。この操作が行なわれると、情報処理装置１０は、画像選択部２０５において、当該選択された画像を特定する（ステップＳ２０１）。なお、ここで選択される画像は、複数であっても構わない。
【００４２】
続いて、情報処理装置１０は、設定情報取得部２０４において、設定情報管理部２０１に管理されている設定情報を読み取る（ステップＳ２０２）。そして、画像情報取得部２０３において、ステップＳ２０１で特定された画像に関連付けられた属性情報を取得する（ステップＳ２０３）。この属性情報の取得は、ステップＳ２０２で読み取った設定情報から行なう。
【００４３】
ここで、情報処理装置１０は、プレビュー表示処理部２０６において、印刷プレビュー画面を表示する（ステップＳ２０４）。すなわち、表示部１０９には、ステップＳ２０１で選択された画像に、ステップＳ２０３で取得した属性情報を配置した画面が表示される。
【００４４】
続いて、情報処理装置１０は、マーク表示判定部２０７において、マークの表示を行なうか否かの判定を行なう。具体的には、表示領域内に一つでも属性を表示する項目が含まれている場合は、マークを表示すると判定し、一つも表示する項目がない場合は、マークの表示を行わないと判定する。例えば、左上領域に患者ＩＤ、患者名を表示する旨の属性情報の設定がなされている場合には、左上領域にマークを表示すると判定する。
【００４５】
判定の結果、マーク表示を行なわない場合（ステップＳ２０５でＮＯ）、そのままこの処理を終了する。一方、マーク表示を行なう場合には（ステップＳ２０５でＹＥＳ）、マーク表示処理部２０８において、属性情報の表示設定が少なくとも一つ以上ある領域に対してマークを表示する（ステップＳ２０６）。
【００４６】
ここで、情報処理装置１０は、マーク選択判定部２０９において、当該表示したマークが操作者によるマウス操作により選択されるまで待機する（ステップＳ２０７でＮＯ）。この待機は、印刷プレビュー画面が表示されている間、継続して行なわれる。なお、マークの選択は、例えば、表示されたマーク上にマウスカーソルがポイントされたことなどを検出することで行なう。勿論、マウス以外で選択されてもよい。例えば、マーク位置にテンキーを予め対応させておき、対応したテンキーがタイプされたことを検出することでマークが選択されたとしてもよい。また、例えば、表示部１０９がタッチパネルで構成されていれば、指等により接触された領域を検出することでマークが選択されたとしてもよい。
【００４７】
ステップＳ２０７において、マークが選択されたと判定された場合（ステップＳ２０７でＹＥＳ）、情報処理装置１０は、属性情報表示処理部２１０において、当該選択されたマーク位置に対応する属性情報を印刷プレビュー画面と別の形態で表示する。例えば、図５で説明したように、マークにカーソルをポイントすると属性情報が書き込まれたツールチップのような小さいウィンドウが表示されることになる（ステップＳ２０８）。
【００４８】
以上説明したように実施形態１によれば、印刷プレビュー画面において、属性情報の設定の有無を示すマークを設け、カーソルによりこのマークが選択されれば、属性情報の内容を拡大して表示する。これにより、操作者は、画像全体の印刷イメージとともに、当該画像に付与される属性情報を容易に確認できるため、操作性を向上させることができる。  （実施形態２）
次に、実施形態２について説明する。実施形態２においては、印刷プレビュー画面内に表示される属性情報を、実際に印刷がなされたときのサイズと同じ大きさで表示する場合について説明する。つまり、記録媒体（例えば、フイルム）上に高さ１ｃｍ、幅５ｃｍで印刷される属性情報であれば、モニタ（表示部１０９）上でも、高さ１ｃｍ、幅５ｃｍとして表示する。なお、実施形態２に係わる情報処理装置１０の構成は基本的に、実施形態１と同様であるため、その説明については省略する。
【００４９】
ここで、表示部１０９での表示サイズは、以下の計算式（式１）によって算出する。
【００５０】
モニタ（表示部１０９）上のピクセル数＝印刷ピクセル数×プリンタ（プリント部１００）ピクセルピッチ/モニタ（表示部１０９）解像度・・・（式１）
すなわち、プリント部１００の印刷性能（印刷ピクセル数）と表示部１０９の表示性能（解像度）とに応じて表示サイズを決定する。なお、この表示に際しては、属性情報表示処理部２１０により表示されるウィンドウは拡大鏡として機能する。ウィンドウのサイズは、属性情報全てを同時に表示できるサイズの内、最小のサイズで表示されることが望ましい。
【００５１】
図７は、実施形態２に係わる印刷プレビュー画面の一例を示す図である。
【００５２】
７００は、印刷プレビュー画面であり、実施形態１を説明した図５に示す６００に相当する。７０１は、実施形態２に係わる属性情報の表示形態を示しており、属性情報は、テキスト情報のみでなく、印字される領域の画像をも含めたサイズで表示部１０９に表示されている。
【００５３】
図８は、属性情報の表示を行なう際の表示サイズ決定処理の流れの一例を示すフローチャートである。なお、情報処理装置１０における動作は、実施形態１の図４、図６で説明した動作と同様である。そのため、ここでは、実施形態１との相違点についてのみ説明する。相違点としては、図６のステップＳ２０７の処理にある。すなわち、属性情報を表示する際の表示形態が相違する。
【００５４】
情報処理装置１０は、まず、画像上の属性情報の表示領域を算出する（ステップＳ３０１）。この表示領域は、事前の処理で取得した属性情報とその表示に利用するフォントサイズとに基づいて算出する。この算出される表示領域は、少なくとも属性情報全てを含むサイズとなる。なお、上下左右に若干のマージンを含めた領域とすることが望ましい。
【００５５】
次に、情報処理装置１０は、属性情報の文字列と画像とを合成（オーバーレイ）し、印刷イメージを作成する（ステップＳ３０２）。そして、プリント部１００のピクセルピッチを取得する。このピクセルピッチは、印刷に用いるプリンタのピクセルピッチである。例えば、医療用プリンタ（ＤＩＣＯＭプリンタ）においては、ＤＩＣＯＭ適合性宣言書（コンフォーマンスステートメント）に記載されていることが多い。なお、このピクセルピッチは、操作者が、予め登録するなどしておく。
【００５６】
次に、情報処理装置１０は、表示部１０９の解像度を取得し（ステップＳ３０４）、実際に表示部１０９に表示するピクセルサイズを算出する（ステップＳ３０５）。この処理は、前述した（式１）を用いて行なう。例えば、ステップＳ３０２で算出した印刷イメージの属性表示領域のピクセル数が２００×４００ピクセルであり、プリント部１００のピクセルピッチが８０μｍ、表示部１０９の解像度が９６ｄｐｉであるとする。この場合、印刷される実際のサイズは、１．６ｃｍ（２００×８０μｍ）×３．２ｃｍ（４００×８０μｍ）となる。従って、表示部１０９にこのサイズで表示するためのピクセル数は、１．６×９６／２．５４＝６０ピクセル、３．２×９６／２．５４＝１２０ピクセルとなる。
【００５７】
続いて、情報処理装置１０は、ステップＳ３０５で算出したピクセル数になるように拡縮し、表示イメージを作成する（ステップＳ３０６）。先の例では、印刷イメージのデータ２００ピクセル×４００ピクセルを６０ピクセル×１２０ピクセルと成るように０．３倍の拡大を行なう。そして、情報処理装置１０は、属性情報の表示を行なう（ステップＳ３０７）。
【００５８】
以上説明したように実施形態２によれば、印刷プレビュー画面において、実際に印字されるサイズで属性情報を表示する。これにより、操作者は、実際に印字されるサイズで属性情報を確認できるため、印刷後に属性情報のフォントが小さい等の問題が生じず、再度印刷を行なうといった不具合も生じない。そのため、記録媒体（例えば、フイルム）の不用意な浪費を低減できる。
【００５９】
（実施形態３）
次に、実施形態３について説明する。実施形態３においては、属性情報の拡大表示を一箇所ずつ行なわず、同時にまとめて行なう場合について説明する。つまり、属性情報の拡大表示は、必ずしも一箇所に特定して行なう必要はない。例えば、印刷プレビュー画面において、画像が複数ある場合、あるマークが選択されると、全ての画像におけるそのマークと同種の属性情報を同時に拡大表示してもよい。なお、実施形態３に係わる情報処理装置１０の構成や動作は基本的に、実施形態１と同様であるため、その説明については省略する。
【００６０】
図９は、実施形態３に係わる印刷プレビュー画面の一例を示す図である。
【００６１】
９００は、印刷プレビュー画面である。マウスカーソル９０２は、画像９０３の右上のマーク位置をポイントしているため、属性情報９０１が拡大表示される。一方、画像９０４の右上領域の属性情報も同時に拡大表示される。すなわち、右側画像の右上領域のマークがポイントされた場合、そのマークに対応する属性情報と、左側画像の右上領域のマークに対応する属性情報とを同時に拡大させている。なお、このような両画像における対応する領域の属性情報のみを同時に拡大表示させるのではなく、全ての属性情報を一括で拡大表示しても勿論かまわない。また、印刷対象となる画像が３つ以上ある場合にも、印刷プレビュー画面に複数表示された画像に付与された属性情報に対して上記同様の処理が行なえることは言うまでもない。
【００６２】
以上説明したように実施形態３によれば、複数画像の印刷に際して、画像各々のマークをその都度ポイントせずに済み、属性情報を一括確認できる。これにより、操作性の向上が一層期待される。
【００６３】
以上が本発明の代表的な実施形態の一例であるが、本発明は、上記及び図面に示す実施形態に限定することなく、その要旨を変更しない範囲内で適宜変形して実施できるものである。例えば、実施形態１〜実施形態３の一部若しくはその全てを組み合わせて実施してもよい。
【００６４】
また、上記実施形態においては、印刷プレビュー画面において、拡大表示した属性情報の拡大を解除する処理については言及していないが、どのようなタイミングで行なってもよい。例えば、カーソル等によりマークが選択されていなければ直ぐに拡大を解除するようにしてもよいし、また、所定時間経過後、拡大を解除するようにしてもよい。
【００６５】
なお、本発明は、例えば、システム、装置、方法、プログラム若しくは記録媒体等としての実施態様を採ることもできる。具体的には、複数の機器から構成されるシステムに適用してもよいし、また、一つの機器からなる装置に適用してもよい。
【００６６】
また、本発明は、ソフトウェアのプログラムをシステム或いは装置に直接或いは遠隔から供給し、そのシステム或いは装置に内蔵されたコンピュータが該供給されたプログラムコードを読み出して実行することにより実施形態の機能が達成される場合をも含む。この場合、供給されるプログラムは実施形態で図に示したフローチャートに対応したコンピュータプログラムである。
【００６７】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳ（Operating System）に供給するスクリプトデータ等の形態であってもよい。
【００６８】
コンピュータプログラムを供給するためのコンピュータ読み取り可能な記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６９】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７０】
また、本発明のプログラムを暗号化してＣＤ−ＲＯＭ等の記録媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００７１】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部又は全部を行ない、その処理によって前述した実施形態の機能が実現される。
【００７２】
更に、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵ（Central Processing Unit）などが実際の処理の一部又は全部を行なう。
【図面の簡単な説明】
【００７３】
【図１】本発明の一実施の形態に係わる情報処理装置１０における機能的な構成の一例を示す図である。
【図２】図１に示す情報処理部１０１における機能的な構成の一例を示す図である。
【図３】属性情報の印刷設定を行なう際に表示される画面の一例を示す図である。
【図４】属性情報の印刷設定を行なう際の処理の流れの一例を示すフローチャートである。
【図５】印刷プレビュー画面の一例を示す図である。
【図６】印刷プレビュー画面を表示する際の処理の流れの一例を示すフローチャートである。
【図７】実施形態２に係わる印刷プレビュー画面の一例を示す図である。
【図８】属性情報の表示を行なう際の表示サイズ決定処理の流れの一例を示すフローチャートである。
【図９】実施形態３に係わる印刷プレビュー画面の一例を示す図である。
【符号の説明】
【００７４】
１０    情報処理装置
１００    プリント部
１０１    情報処理部
１０２    ＲＡＭ（Random Access Memory）
１０３    ＤＩＳＫ／ＩＦ（Interface）
１０４    ＲＯＭ（Read Only Memory）
１０５    ＣＰＵ
１０６    ＬＡＮ（Local Area Network）／ＩＦ（Interface）
１０７    不揮発性記憶装置
１０８    システムバス
１０９    表示部
１１０    入力部
２００    設定情報設定部
２０１    設定情報管理部
２０２    画像情報管理部
２０３    画像情報取得部
２０４    設定情報取得部
２０５    画像選択部
２０６    プレビュー表示処理部
２０７    マーク表示判定部
２０８    マーク表示処理部
２０９    マーク選択判定部
２１０    属性情報表示処理部
２１１    設定画面表示処理部
【図１】
2010082330.tif 000003
【図２】
2010082330.tif 000004
【図３】
2010082330.tif 000005
【図４】
2010082330.tif 000006
【図５】
2010082330.tif 000007
【図６】
2010082330.tif 000008
【図７】
2010082330.tif 000009
【図８】
2010082330.tif 000010
【図９】
2010082330.tif 000011